(57)【要約】【課題】使用時にはペーパー端部を簡単に摘まみ出すことができると共に、交換時にはその作業が簡単にできる新規なトイレットペーパーホルダーの提供。【解決手段】ロール状のトイレットペーパーＰを保持するホルダー本体１０にカバー兼カッター３０を支持するカバー押し上げプレート４０を設け、そのカバー押し上げプレート４０をホルダー本体１０の手前側に回転移動させるように構成する。これによって、使用時にはペーパー端部Ｐ３を簡単に摘まみ出すことができると共に、交換時にはその作業が容易になる。【選択図】図６
0003215898.tif 000002
【実用新案登録請求の範囲】
【請求項１】
ロール状のトイレットペーパーの両端面を覆うべくコ字形状のホルダー本体と、
前記ホルダー本体で前記トイレットペーパーの芯をその両端から回転自在に軸支する軸支部と、
前記軸支部に軸支されたトイレットペーパーの上方を覆うべく前記ホルダー本体に開閉動可能に軸支されたカバー兼カッターと、
前記軸支部に軸支されたトイレットペーパーと前記カバー兼カッターとの間に所定の空隙を形成して前記カバー兼カッターを支持するカバー押し上げプレートとを有し、
前記カバー押し上げプレートは、前記ホルダー本体のプレート支持フレームに取り付けられて当該プレート支持フレームと共に前記ホルダー本体の開放側に回転移動することを特徴とするトイレットペーパーホルダー。
【請求項２】
請求項１に記載のトイレットペーパーホルダーにおいて、
前記プレート支持フレームに、前記トイレットペーパーのロール部分から繰り出された帯状のペーパーを前記カバー兼カッターとカバー押し上げプレートとの間に案内するローラーを備えたことを特徴とするトイレットペーパーホルダー。
【考案の詳細な説明】
【技術分野】
【０００１】
本考案は、トイレの壁などに据え付けて用いられるトイレットペーパーホルダーに関する。
【背景技術】
【０００２】
従来のトイレットペーパーの多くは、円筒状の芯の廻りに帯状のペーパーを多重に巻き付けたロール状となっており、その芯の部分をトイレの壁などに据え付けられたホルダーに軸支して取り付けてられている。そして、使用時にはそのホルダーからロール部分のペーパーを必要な分だけ繰り出した後、そのホルダーと一体となったカバー兼カッターでそのペーパーを切断して使用されている。
【０００３】
しかし、このような構成をした従来のトイレットペーパーホルダーでは、切断した後のペーパー端部がそのままロール部分にくっついてしまうため、次に使用する際にはそのロール部分を回転させるなどしてペーパー端部を探り出しさなくてはならず些か面倒である。そのため、例えば以下の特許文献１ではロール式ペーパーとカバー兼カッターとの間にカバー押し上げプレートを取り付け、このカバー押し上げプレートによってロール式ペーパーとカバー兼カッターとの間に空間を形成してそのペーパー端部をカバー押し上げプレートから垂れ下がった状態にすることによって簡単にペーパー端部を摘まむことができるようにしている。
【先行技術文献】
【特許文献】
【０００４】
【特許文献１】特開２０１３−８５９４０号公報
【考案の概要】
【考案が解決しようとする課題】
【０００５】
ところで、上記特許文献１で示したような従来のホルダーでは、たしかにペーパー端部を簡単に摘まみ出すことができるが、トイレットペーパーを新しいものに交換するときには、そのトイレットペーパーの芯を取り付けた後に、そのペーパー端部を繰り出し、カバー兼カッターとカバー押し上げプレートとの間を通過させてカバー兼カッターの前方まで引き出さなくてはならず、その交換作業は容易でない。
【０００６】
そこで、本考案の目的はこれらの課題を解決するために案出されたものであり、その目的は、使用時にはペーパー端部を簡単に摘まみ出すことができると共に、交換時にはその作業が簡単にできる新規なトイレットペーパーホルダーを提供することにある。
【課題を解決するための手段】
【０００７】
前記課題を解決するために第１の考案は、ロール状のトイレットペーパーの両端面を覆うべくコ字形状のホルダー本体と、前記ホルダー本体で前記トイレットペーパーの芯をその両端から回転自在に軸支する軸支部と、前記軸支部に軸支されたトイレットペーパーの上方を覆うべく前記ホルダー本体に開閉動可能に軸支されたカバー兼カッターと、前記軸支部に軸支されたトイレットペーパーと前記カバー兼カッターとの間に所定の空隙を形成して前記カバー兼カッターを支持するカバー押し上げプレートとを有し、前記カバー押し上げプレートは、前記ホルダー本体のプレート保持フレームに取り付けられて当該プレート保持フレームと共に前記ホルダー本体の開放側に回転移動することを特徴とするトイレットペーパーホルダーである。
【０００８】
このような構成によれば、カバー押し上げプレートによってカバー兼カッターが支持されることによってホルダー本体に軸支されたトイレットペーパーとカバー兼カッターとの間に所定の空隙が形成されるため、切断後のペーパー端部がロール部分にくっつくようなことがなくなり、ペーパー端部を簡単に摘まみ出すことができる。また、トイレットペーパーの交換時には、カバー兼カッターを開いてからホルダー本体に取り付けられたプレート保持フレームをホルダー本体の開放側に回転移動させれば、それと共にカバー押し上げプレートも移動するため、トイレットペーパーを軸支部に取り付けた後のペーパーの引き出しも容易になってそのトイレットペーパーの交換作業が簡単に行える。
【０００９】
第２の考案は、第１の考案において、前記回動フレームに、前記トイレットペーパーのロール部分から繰り出された帯状のペーパーを前記カバー兼カッターとカバー押し上げプレートとの間に案内するローラーを備えたことを特徴とするトイレットペーパーホルダーである。このような構成によれば、ロール部分から繰り出された帯状のペーパーをカバー兼カッターとカバー押し上げプレートとの間にスムーズに案内することができる。
【考案の効果】
【００１０】
本考案によれば、切断後のペーパー端部がロール部分にくっつくようなことがなくなるため、使用時にはペーパー端部を簡単に摘まみ出すことができる。また、トイレットペーパーの交換時には、カバー兼カッターを開いてからホルダー本体に取り付けられたプレート保持フレームをホルダー本体の開放側に回転移動させれば、それと共にカバー押し上げプレートも移動するため、ペーパーの引き出しも容易になってそのトイレットペーパーの交換作業が簡単に行える。
【図面の簡単な説明】
【００１１】
【図１】本考案に係るトイレットペーパーホルダー１００の実施の一形態を示す斜視図である。
【図２】本考案に係るトイレットペーパーホルダー１００の実施の一形態を示す側面図である。
【図３】本考案に係るトイレットペーパーホルダー１００の実施の一形態を示す正面図である。
【図４】トイレットペーパーＰを取り付ける際に、カバー兼カッター３０を開いた状態を示す側面図である。
【図５】プレート支持フレーム５０全体をその軸棒５２を軸として手前方向に回動させた状態を示す側面図である。
【図６】図５の状態から軸支部２０にトイレットペーパーＰを取り付け、そのペーパー端部Ｐ３を上方に繰り出した状態を示す側面図である。
【図７】図６の状態からプレート支持フレーム５０を元の位置に戻し、その上方にペーパー端部Ｐ３を置いた状態を示す側面図である。
【図８】本考案に係るトイレットペーパーホルダー１００の他の実施の形態を示す側面図である。
【図９】本考案に係るトイレットペーパーホルダー１００の他の実施の形態を示す側面図である。
【考案を実施するための形態】
【００１２】
以下、本考案の実施の形態を添付図面を参照しながら説明する。図１乃至図３は本考案に係るトイレットペーパーホルダー１００の実施の一形態を示したものであり、図１は、その斜視図、図２はその側面図、図３はその正面図である。図示するように、このトイレットペーパーホルダー１００は、ロール状のトイレットペーパーＰを取り付けるホルダー本体１０と、このホルダー本体１０にトイレットペーパーＰを軸支する軸支部２０と、ホルダー本体１０に取り付けられたトイレットペーパーＰを覆うカバー兼カッター３０と、このカバー兼カッター３０を支持するカバー押し上げプレート４０と、このカバー押し上げプレート４０を支持するプレート支持フレーム５０とから主に構成されている。以下、これら各構成部分について詳述する。
【００１３】
まず、ホルダー本体１０は、トイレの壁面などに木ねじ（図示せず）などによって取り付けられる矩形状の取付板１１と、この取付板１１の両端から直角に延びるように平行に位置する一対の保持板１２，１２とから構成されており、上側からみるとコ字形に形成されている。なお、このホルダー本体１０は、金属板やプラスチックなどから構成されている。
【００１４】
軸支部２０は、このホルダー本体１０を構成する一対の保持板１２，１２の内側にそれぞれ設けられた跳ね上げ式のフック２１，２１とから構成されており、トイレットペーパーＰの円筒状の芯Ｐ１内に、その両側から差し込むことでトイレットペーパーＰを回転自在に軸支するようになっている。なお、この軸支部２０は、図３に示すように従来公知のものと同じ構成をしており、各フック２１，２１がそれぞれ保持板１２，１２内に軸支されると共に図示しないスプリングによって突出方向に付勢されると共に、トイレットペーパーＰを取り付ける際には、各保持板１２，１２の収容部１２ａ、１２ａ内に跳ね上げられるように回動することで簡単にトイレットペーパーＰが取り付けられるようになっている。
【００１５】
カバー兼カッター３０は、ほぼ矩形状をした金属又はプラスチックなどの硬質の薄板から構成されており、ホルダー本体１０の上面を開閉自在に塞ぐようにホルダー本体１０に取り付けられている。すなわち、図１および図２に示すようにこのカバー兼カッター３０の端部には、軸棒３１が取り付けられており、この軸棒３１がホルダー本体１０の取付板１１側に軸支されることで、この軸棒３１を軸としてその全体が揺動すると共に、閉じたときにはその先端側でペーパーを切断できるようになっている。
【００１６】
カバー押し上げプレート４０は、ホルダー本体１０の保持板１２，１２間の幅に亘って延びる短冊状の金属またはプラスチックなどの薄板から構成されており、その先端（一辺）がやや上向きになるように斜めに取り付けられることで、その先端でカバー兼カッター３０を下から押し上げるように、すなわち図２に示すようにカバー兼カッター３０がその軸棒３１を軸として落ち込んでトイレットペーパーＰに触れないようにその間に所定の空間を保持すべくこれを支えるようになっている。なお、このカバー押し上げプレート４０は、短冊状の平板でも良いが、図示するようにその先端がやや下方に湾曲したものが望ましい。
【００１７】
プレート支持フレーム５０は、このカバー押し上げプレート４０の両端を支持するものであり、一対の横フレーム５１，５１と、この横フレーム５１，５１の先端間を連結する軸棒５２と、この横フレーム５１，５１の後端間を連結するローラー５３とかならなる矩形状のフレームとなっている。そして、このプレート支持フレーム５０の横フレーム５１，５１間に、軸棒５２およびローラー５３と平行にカバー押し上げプレート４０が取り付けられている。
【００１８】
また、このプレート支持フレーム５０は、その軸棒５２がさらに延出してホルダー本体１０の保持板１２，１２側にそれぞれ軸支された構成となっており、図５に示すようにその全体がこの軸棒５２を軸として壁面Ｗに対してその前後方向に回動するようになっている。
【００１９】
また、このプレート支持フレーム５０近傍の保持板１２，１２の内側には、ストッパー５４、５４がこれより突出するように形成されており、プレート支持フレーム５０を壁面Ｗ側に回動させたときに、その横フレーム５１，５１がこのストッパー５４と干渉することによってプレート支持フレーム５０が水平状態から下方に回動しないようになっている。
【００２０】
次に、このような構成をした本考案に係るトイレットペーパーホルダー１００の作用を説明する。本考案に係るトイレットペーパーホルダー１００に新たなトイレットペーパーＰを取り付ける際には、図４に示すようにカバー兼カッター３０を開いた後、プレート支持フレーム５０のローラー５３の部分を持つなどして、図５に示すようにその全体をその軸棒５２を軸として手前方向に回動させる。これによって、ホルダー本体１０の保持板１２，１２間にはほぼ何もない状態となる。
【００２１】
このようにしたならば図５に示すようにその下方からホルダー本体１０の保持板１２，１２間に新しいトイレットペーパーＰを差し込むようにセットする。すると、そのロール部分Ｐ２によって軸支部２０のフック２１、２１が起立するように回動した後、その芯Ｐ１の位置でそれぞれ水平状態に戻ることでトイレットペーパーＰをその両側から回転自在に取り付けることができる。
【００２２】
次に、このようにしてトイレットペーパーＰを取り付けたならば、図６に示すようにそのトイレットペーパーＰのロール部分Ｐ２にくっついているペーパー端Ｐ３を摘まんでそのまま上方に数十ｃｍ程度繰り出した後、そのペーパー端Ｐ３を持ったままで図７に示すようにプレート支持フレーム５０を元の位置に戻し、そのカバー押し上げプレート４０の上にペーパー端部Ｐ３を置いて数ｃｍ程度垂れ下がった状態にしてからカバー兼カッター３０を閉じる。
【００２３】
これによって、ペーパー端部Ｐ３がロール部分Ｐ２から離れて独立して垂れ下がった状態になっていることから、使用時には簡単にそのペーパー端部Ｐ３を見つけて把持することができる。一方、トイレットペーパーＰの交換時には、前述したようにカバー兼カッター３０を開いてからプレート支持フレーム５０をホルダー本体１０の手前側に回転移動させれば、それと共にカバー押し上げプレート４０も移動するため、ペーパー端Ｐ３の引き出しも容易になってそのトイレットペーパーＰの交換作業を簡単に行なうことができる。
【００２４】
また、このプレート支持フレーム５０の壁側の部分をローラー５３で構成することにより、ロール部分Ｐ２から繰り出されるペーパーをカバー兼カッター３０とカバー押し上げプレート４０との間にスムーズに案内することができる。なお、本実施の形態では、このこのプレート支持フレーム５０の壁側の部分をローラー５３で構成したが、曲面状のガイド板で構成しても良い。
【００２５】
また、図８に示すように、ホルダー本体１０の保持板１２，１２の手前側に第２のストッパー５５を取り付けるようにしても良い。このようにすることでプレート支持フレーム５０を開くように回動させた際に、この第２のストッパー５５と干渉することでプレート支持フレーム５０が水平状態に保持されるため、より簡単に交換作業を行うことができる。
【００２６】
さらに図９（Ａ）に示すように、この上方に手すり６０が予めあるいは後付けで付いていてカバー兼カッター３０が全開できない場合がある。このような場合には、ホルダー本体１０の取付板１１の背面に第２の取付板１３を壁面Ｗに取り付け、この第２の取付板１３の下端に、動きが硬いヒンジ部材１４を介して取付板１１を取り付けるように構成すれば良い。このように構成すれば、同図（Ｂ）に示すようにホルダー本体１０全体をこのヒンジ部材１４を軸として前方に倒すように揺動できるため、カバー兼カッター３０が手すり６０に干渉することなく全開して簡単に交換作業を行うことができる。
【符号の説明】
【００２７】
１０…ホルダー本体
１１…取付板
１２…保持板
１２ａ…収容部
１３…第２の取付板
１４…ヒンジ部材
２０…軸支部
２１…フック
３０…カバー兼カッター
３１…軸棒
４０…カバー押し上げプレート
５０…プレート支持フレーム
５１…横フレーム
５２…軸棒
５３…ローラー
５４…ストッパー
５５…第２のストッパー
１００…トイレットペーパーホルダー
Ｐ…トイレットペーパー
Ｐ１…芯
Ｐ２…ロール部分
Ｐ３…ペーパー端部
Ｗ…壁面
【図１】
0003215898.tif 000003
【図２】
0003215898.tif 000004
【図３】
0003215898.tif 000005
【図４】
0003215898.tif 000006
【図５】
0003215898.tif 000007
【図６】
0003215898.tif 000008
【図７】
0003215898.tif 000009
【図８】
0003215898.tif 000010
【図９】
0003215898.tif 000011